(57)【要約】【課題】被写体画像の画像データの管理が容易であり、再プリントする際に、印画紙にプリントされている被写体画像の画像データを容易に取得してプリントすることができるプリント装置、書込装置、および印画紙を提供する。【解決手段】撮像装置によって撮影された被写体画像を印画紙に最初にプリントする初回プリントの際に、プリントする被写体画像の画像データを取得する画像データ取得装置２６と、被写体画像を印画紙にプリントする際に、該被写体画像の画像データを該印画紙に設けられた薄膜ホログラムメモリまたは書き込み後に該印画紙に設けられる薄膜ホログラムメモリに書き込むと共に、該薄膜ホログラムメモリから画像データを読み取るＲ／Ｗ装置２８と、初回プリントの際には、画像データ取得装置２６で取得した画像データに基づいてプリントし、再プリントの際には、Ｒ／Ｗ装置２８で読み取られた画像データに基づいてプリントするプリンタ２４と、を備える。【選択図】        図１
2007094105.tif 000002
【特許請求の範囲】
【請求項１】
撮像装置によって撮影された被写体画像を印画紙に最初にプリントする初回プリントの際に、プリントする被写体画像の画像データを取得する取得手段と、
印画紙に設けられた薄膜ホログラムメモリまたは書き込み後に該印画紙に設けられる薄膜ホログラムメモリに被写体画像の画像データを書き込む書込手段と、
印画紙に設けられた薄膜ホログラムメモリから画像データを読み取る読取手段と、
初回プリントの際には、前記取得手段で取得された画像データに基づいてプリントし、被写体画像の画像データが書き込まれた薄膜ホログラムメモリを備えた印画紙にプリントされた被写体画像を再プリントする際には、前記読取装置で読み取られた画像データに基づいてプリントするプリント手段と、
を備えたプリント装置。
【請求項２】
前記書込手段は、前記薄膜ホログラムメモリに前記被写体画像に関連する関連情報を更に書き込み、
前記読取手段は、前記薄膜ホログラムメモリから前記関連情報を更に読み取り、
前記プリント手段は、再プリントの際に、前記サーバから取得した画像データおよび前記読み取られた関連情報に基づいてプリントする
請求項１記載のプリント装置。
【請求項３】
初回プリントおよび再プリントの際にパスワードを入力するパスワード入力手段を更に備え、
前記書込手段は、前記薄膜ホログラムメモリに初回プリントの際に前記パスワード入力手段で入力されたパスワードを更に書き込み、
前記読取手段は、前記薄膜ホログラムメモリからパスワードを更に読取り、
前記プリント手段は、再プリントの際には、前記読取装置で読み取られたパスワードと、再プリントの際に前記パスワード入力手段で入力されたパスワードとを比較して認証を行い、認証後にプリントする
請求項１または請求項２記載のプリント装置。
【請求項４】
前記書込手段は、更に、前記画像データ記録後の薄膜ホログラムメモリの空き領域部分に、任意の画像を視覚的に再現されるように書き込む請求項１乃至請求項３のいずれか１項記載のプリント装置。
【請求項５】
撮像装置によって撮影された被写体画像がプリントされた印画紙に設けられた薄膜ホログラムメモリから画像データを読み取る読取手段と、
前記読取手段で読み取られた画像データに基づいてプリントするプリント手段と、
を備えたプリント装置。
【請求項６】
前記読取手段は、前記薄膜ホログラムメモリに前記被写体画像に関連する関連情報が記録されていた場合に、該関連情報を更に読み取り、
前記プリント手段は、前記読取手段で読み取られた画像データおよび関連情報に基づいてプリントする
請求項５記載のプリント装置。
【請求項７】
パスワードを入力するパスワード入力手段を更に備え、
前記読取手段は、前記薄膜ホログラムメモリにパスワードが書き込まれていた場合には、該パスワードを更に読み取り、
前記プリント手段は、前記読取手段で読み取られたパスワードと前記パスワード入力手段で入力されたパスワードとを比較して認証を行い、認証後にプリントする
請求項５または請求項６記載のプリント装置。
【請求項８】
撮像装置によって撮影された被写体画像が印画紙にプリントされる際に、該被写体画像の画像データを該印画紙に設けられた薄膜ホログラムメモリまたは書き込み後に該印画紙に設けられる薄膜ホログラムメモリに書き込む書込装置。
【請求項９】
前記薄膜ホログラムメモリに、前記画像データと共に前記被写体画像に関連する関連情報およびパスワードの少なくとも一方を更に書き込む
請求項８記載の書込装置。
【請求項１０】
前記画像データ記録後の薄膜ホログラムメモリの空き領域部分に、任意の画像を視覚的に再現されるように更に書き込む請求項８または請求項９の記載の書込装置。
【請求項１１】
撮像装置によって撮影された被写体画像がプリントされ、かつ該被写体画像の画像データが書き込まれた薄膜ホログラムメモリを備えた印画紙。
【請求項１２】
前記薄膜ホログラムメモリに、前記被写体画像に関連する関連情報およびパスワードの少なくとも一方が更に書き込まれた請求項１１記載の印画紙。
【発明の詳細な説明】
【技術分野】
【０００１】
本発明は、撮像装置によって撮影された被写体画像を印画紙にプリントするプリント装置、薄膜ホログラムメモリにデータを書き込む書込装置、および画像データが書き込まれた薄膜ホログラムメモリを有する印画紙に関する。
【背景技術】
【０００２】
従来、撮像装置によって撮影された被写体画像をラボ店などで印画紙に最初にプリントする初回プリントを行った後に、後日再プリント（焼増し）を行う場合には、プリント処理後のフィルムや、画像データが記録された記録メディアまたはデジタルカメラを再度ラボ店に持参する必要がある。従って、ユーザは、自分自身でフィルムや画像データを適切に保管しておく必要があり、これを紛失すると再プリントが不可能な状態となってしまう。また、再プリントの際、どの被写体画像をプリントするのかをフィルムやインデクスプリント、画像データを１つ１つ確認しながら指定する必要があり、ユーザにとって面倒であり効率も悪い。
【０００３】
これに対して、プリントＩＤをプリント写真に記録しておくと共に、プリントＩＤと対応付けて画像データをサーバ等の記憶手段に記憶し、再プリントの際に、プリントＩＤに対応付けられた画像データを読み出してプリントすることができるプリントシステムや、画像データそのものをＩＣタグなどの記録手段に記憶してプリントに付し、再プリントの際にＩＣタグから画像データを読み出してプリントするプリントシステムが知られている（例えば、特許文献１および特許文献２参照）。
【０００４】
また、バーコードやＩＣタグを用いて、プリントした被写体画像に関する情報をデータとして保存し、容易にプリント写真を分類できるバーコード記録カメラが知られている（例えば、特許文献３参照）。
【０００５】
なお、記録媒体としては、近年、大容量のデータの記録が可能な体積ホログラム方式や薄膜ホログラム方式のメモリが開発されている（例えば、特許文献４参照）。
【特許文献１】特開２００４−１１０２４４号公報
【特許文献２】特開２００４−１０９３０４号公報
【特許文献３】特開２００１−２８７２４号公報
【特許文献４】特開２００４−２３３５６１号公報
【発明の開示】
【発明が解決しようとする課題】
【０００６】
しかしながら、上記プリントＩＤをプリントに記録しておくプリントシステムでは、画像データとプリントＩＤとを対応付けて蓄積しておく必要があり、管理が面倒であった。また、ＩＣタグなどの限られた記憶容量の記録手段に画像データを記録する場合には、メ画像データを圧縮したりする必要があり再プリントしたときに画質が低下するおそれがあった。
【０００７】
本発明は上記問題点を解決するためになされたものであり、被写体画像の画像データの管理が容易であり、再プリントする際に、印画紙にプリントされている被写体画像の画像データを容易に取得してプリントすることができるプリント装置、書込装置、および印画紙を提供することを目的とする。
【課題を解決するための手段】
【０００８】
上記目的を達成するために、第１の発明のプリント装置は、撮像装置によって撮影された被写体画像を印画紙に最初にプリントする初回プリントの際に、プリントする被写体画像の画像データを取得する取得手段と、印画紙に設けられた薄膜ホログラムメモリまたは書き込み後に該印画紙に設けられる薄膜ホログラムメモリに被写体画像の画像データを書き込む書込手段と、印画紙に設けられた薄膜ホログラムメモリから画像データを読み取る読取手段と、初回プリントの際には、前記取得手段で取得された画像データに基づいてプリントし、被写体画像の画像データが書き込まれた薄膜ホログラムメモリを備えた印画紙にプリントされた被写体画像を再プリントする際には、前記読取装置で読み取られた画像データに基づいてプリントするプリント手段と、を備えている。
【０００９】
このように、印画紙にプリントする被写体画像の画像データを印画紙に設けられた薄膜ホログラムメモリまたは書き込み後に印画紙に設けられる薄膜ホログラムメモリに書き込み、再プリントする際には、該印画紙に設けられた薄膜ホログラムメモリから画像データを読み出してプリントするため、被写体画像の画像データの管理が容易になり、再プリントする際にも、被写体画像がプリントされ、かつ上記画像データが書き込まれた薄膜ホログラムメモリを有する印画紙さえあれば、該印画紙にプリントされている被写体画像を容易にプリントすることができる。
【００１０】
なお、薄膜ホログラムメモリの書き込みおよび読み取りには、周知の薄膜ホログラム原理を用いた技術を用いることができる。
【００１１】
また、薄膜ホログラムメモリは、大容量の記録媒体であるため、圧縮することなく、高画質の画像データを書き込むことができる。さらにまた、薄膜ホログラムメモリは、非常に薄く、折り曲げ性に優れるため、印画紙の裏面あるいは表面に設けたとしても、違和感なく取り扱うことができる。
【００１２】
なお、書込手段の書き込みタイミングは特に限定されないが、印画紙に対するプリント前、プリント後のいずれであってもよい。また、読取手段の読みとりタイミングも特に限定されないが、例えば、再プリントするときに読み取りを行うことができる。
【００１３】
第１の発明において、前記書込手段は、前記薄膜ホログラムメモリに前記被写体画像に関連する関連情報を更に書き込み、前記読取手段は、前記薄膜ホログラムメモリから前記関連情報を更に読み取り、前記プリント手段は、再プリントの際に、前記サーバから取得した画像データおよび前記読み取られた関連情報に基づいてプリントすることができる。
【００１４】
ここで、関連情報とは、例えば、印画紙にプリントされる被写体画像を撮像した場所としてユーザにより指定された場所を示す撮影場所に関する情報や、プリント時の濃度及びカラーバランスなどのプリント条件等をいう。
【００１５】
なお、薄膜ホログラムメモリは大容量のデータの書き込みが可能であるため、撮影場所に関する情報も、テキストデータだけでなく、例えば撮影場所の名所の画像データや地図などの画像データ、撮影場所にちなんだ音楽のサウンドデータ等、サイズの大きなデータを書き込むこともできる。
【００１６】
このように、関連情報を被写体画像の画像データと共に書き込むことにより、再プリントする際にこれら関連情報に基づいてプリントすることができるため、付加価値の高い或いは品質ばらつきのないプリント出力が得られる。
【００１７】
第１の発明において、初回プリントおよび再プリントの際にパスワードを入力するパスワード入力手段を更に備え、前記書込手段は、前記薄膜ホログラムメモリに初回プリントの際に前記パスワード入力手段で入力されたパスワードを更に書き込み、前記読取手段は、前記薄膜ホログラムメモリからパスワードを更に読取り、前記プリント手段は、再プリントの際には、前記読取装置で読み取られたパスワードと、再プリントの際に前記パスワード入力手段で入力されたパスワードとを比較して認証を行い、認証後にプリントすることができる。
【００１８】
このようにパスワードを利用することにより、被写体画像等が不正に再プリントされることを防止できる。
【００１９】
なお、第１の発明において、前記書込手段は、更に、前記画像データ記録後の薄膜ホログラムメモリの空き領域部分に、任意の画像を視覚的に再現されるように書き込むことができる。
【００２０】
なお、任意の画像は、被写体画像に関連する画像であっってもよいし、広告画像であってもよい。これにより、更に付加価値の高いプリント出力が得られる。
【００２１】
第２の発明のプリント装置は、撮像装置によって撮影された被写体画像がプリントされた印画紙に設けられた薄膜ホログラムメモリから画像データを読み取る読取手段と、前記読取手段で読み取られた画像データに基づいてプリントするプリント手段と、を備えている。
【００２２】
このように、印画紙に設けられた薄膜ホログラムメモリから被写体画像の画像データを読み取って、該読み取った画像データに基づいてプリントするため、被写体画像の画像データの管理が容易になり、再プリントする際にも、被写体画像がプリントされ、かつ上記薄膜ホログラムメモリが設けられた印画紙さえあれば、該印画紙にプリントされている被写体画像を容易にプリントすることができる。
【００２３】
第２の発明において、前記読取手段は、前記薄膜ホログラムメモリに前記被写体画像に関連する関連情報が記録されていた場合に、該関連情報を更に読み取り、前記プリント手段は、前記読取手段で読み取られた画像データおよび関連情報に基づいてプリントすることができる。
【００２４】
ここで、関連情報とは、例えば、印画紙にプリントされる被写体画像を撮像した場所としてユーザにより指定された場所を示す撮影場所に関する情報（ここではテキストデータだけでなく、画像データやサウンドデータ等、サイズの大きなデータも含むことができる）や、プリント時の濃度及びカラーバランスなどのプリント条件等をいう。
【００２５】
このように、上記被写体画像の画像データと共に記録された関連情報を読み出してプリントに用いることにより、付加価値の高い或いは品質ばらつきのないプリント出力が得られる。
【００２６】
第２の発明において、パパスワードを入力するパスワード入力手段を更に備え、前記読取手段は、前記薄膜ホログラムメモリにパスワードが書き込まれていた場合には、該パスワードを更に読み取り、前記プリント手段は、前記読取手段で読み取られたパスワードと前記パスワード入力手段で入力されたパスワードとを比較して認証を行い、認証後にプリントすることができる。
【００２７】
このようにパスワードを利用することにより、被写体画像等が不正に再プリントされることを防止できる。
【００２８】
第３の発明の書込装置は、撮像装置によって撮影された被写体画像が印画紙にプリントされる際に、該被写体画像の画像データを該印画紙に設けられた薄膜ホログラムメモリまたは書き込み後に該印画紙に設けられる薄膜ホログラムメモリに書き込む。
【００２９】
このように、印画紙にプリントする被写体画像の画像データを印画紙に設けられた薄膜ホログラムメモリまたは書き込み後に印画紙に設けられる薄膜ホログラムメモリに書き込むようにしたため、再プリントする際には、該印画紙に設けられた薄膜ホログラムメモリから画像データを読み出してプリントでき、被写体画像の画像データの管理が容易になり、再プリントする際にも、被写体画像がプリントされ、かつ上記画像データが書き込まれた薄膜ホログラムメモリを有する印画紙さえあれば、該印画紙にプリントされている被写体画像を容易にプリントすることができる。
【００３０】
第３の発明において、前記薄膜ホログラムメモリに、前記画像データと共に前記被写体画像に関連する関連情報およびパスワードの少なくとも一方を更に書き込むことができる。
【００３１】
被写体画像の画像データと共に関連情報を書き込んでおくことにより、プリントの際に付加価値の高い或いは品質ばらつきのないプリント出力が得られる。また、パスワードを記録しておくことにより、被写体画像等が不正に再プリントされることを防止できる。
【００３２】
なお、第３の発明の書込装置は、前記画像データ記録後の薄膜ホログラムメモリの空き領域部分に、任意の画像を視覚的に再現されるように更に書き込むこともできる。
【００３３】
これにより、更に付加価値の高いプリント出力が得られる。
【００３４】
第４の発明の印画紙は、撮像装置によって撮影された被写体画像がプリントされ、かつ該被写体画像の画像データが書き込まれた薄膜ホログラムメモリを備えている。
【００３５】
これにより、被写体画像を記録した記録メディアやフィルム等が無くとも、プリント済の印画紙さえあれば、再プリントが容易になる。
【００３６】
なお、薄膜ホログラムメモリは、大容量の記録媒体であるため、圧縮することなく、高画質の画像データを書き込むことができる。さらにまた、薄膜ホログラムメモリは、非常に薄く、折り曲げ性に優れるため、印画紙の裏面あるいは表面に設けたとしても、違和感なく取り扱うことができる。
【００３７】
第４の発明において、前記薄膜ホログラムメモリに、前記被写体画像に関連する関連情報およびパスワードの少なくとも一方が更に書き込まれていてもよい。
【００３８】
被写体画像の画像データと共に関連情報を書き込んでおくことにより、プリントの際に付加価値の高い或いは品質ばらつきのないプリント出力が得られる。また、パスワードを記録しておくことにより、被写体画像等が不正に再プリントされることを防止できる。
【発明の効果】
【００３９】
以上説明したように、本発明によれば、被写体画像の画像データの管理が容易であり、再プリントする際に、印画紙にプリントされている被写体画像の画像データを容易に取得してプリントすることができる、という優れた効果を奏する。
【発明を実施するための最良の形態】
【００４０】
以下、図面を参照して本発明の実施の形態に係るプリントシステムについて説明する。
【００４１】
図１は、プリント装置として機能するラボ１２を含むプリントシステム１０の構成図である。このプリントシステム１０は、各地域に点在するラボ１２と、撮影場所情報の検索を行う撮影場所情報検索サービスセンタ１６とがインターネット等のネットワーク１８で相互に接続されて構成されている。
【００４２】
ラボ１２には、画像データを取得する画像データ取得装置２６と、画像データに基づく画像を印画紙等にプリントするプリンタ２４と、印画紙４０に実装される薄膜ホログラムメモリ５０（図３（Ｂ）参照。）にデータを書き込むと共に、薄膜ホログラムメモリ５０からデータを読み出すリードライト装置（Ｒ／Ｗ装置）２８と、及び指示情報等を入力するための操作端末３０が設置されている。プリンタ２４、画像データ取得装置２６、Ｒ／Ｗ装置２８、及び操作端末３０は、ラボサーバ２０に接続され、ラボサーバ２０は各装置を制御、管理する。
【００４３】
画像データ取得装置２６には、フイルムの各コマ画像を読取って画像データを取得するスキャナ装置であってもよいし、記録メディアに記録されている画像データを読出すリーダ等であってもよい。従って、画像データ取得装置２６は、デジタルカメラ等により撮影されて得られた画像データを取得する装置であってもよいし、銀塩カメラ等により撮影されて得られたフィルムから画像データを取得する装置であってもよい。
【００４４】
Ｒ／Ｗ装置２８によってデータが書き込まれる或いは読み取られる薄膜ホログラムメモリ５０は、図３（Ｂ）に示すように印画紙４０の裏面に実装される。この薄膜ホログラムメモリ５０は、周知の薄膜ホログラム原理を用いて大容量のデータを記録可能な樹脂製のメモリ媒体であって、非常に薄く、折り曲げ性に優れ、印画紙等の折り曲げ可能な媒体裏面に固着しても違和感なく取り扱うことができる。
【００４５】
具体的には、データ書き込み時には、デジタルデータを二次元符号化し、符号化したデータに基づいてメモリ媒体の導波路層に凹凸パターンを成形する。データ読み出し時には、薄膜ホログラムメモリ５０の側面から半導体レーザー光を入射する。入射した光は上記成形された凹凸パターンで散乱し、入射に対して垂直方向にホログラムの再生像が結像する。この再生像を撮像素子で撮像し、元のデジタルデータを復元する。
【００４６】
Ｒ／Ｗ装置２８は、薄膜ホログラムメモリ５０に、被写体画像を表す画像データ、被写体を撮影した場所を示す撮影場所情報、パスワードなどを書き込む。これより、再プリントの際には、薄膜ホログラムメモリ５０が実装され所望の被写体画像がプリントされた印画紙４０をラボ１２に持ち込むだけで、薄膜ホログラムメモリ５０に書き込まれたデータに基づいて同一の被写体画像を容易に再プリントすることができる。
【００４７】
なお、本実施の形態では、薄膜ホログラムメモリ５０に薄膜ホログラム原理にて画像データや撮影場所情報等を記録した後、該記録された領域以外の空き領域部分に、顧客の指定に応じて、被写体画像に関連する関連画像が視覚的に再現されるように書き込まれる。この書き込みには、周知のホログラフィ技術を用いることができる。ただし、このとき、観察者と同じ側から自然光をあてることによって再生されるように書き込む。視覚的に再現されるように書き込まれる関連画像としては、例えば、被写体画像の撮影場所の近辺の名所などの写真や、被写体画像の撮影場所を示す文字情報、あるいは被写体画像が人物であれば、人物を特定する文字情報（氏名など）とすることができる。関連画像として書き込まれる画像は、顧客により指定可能である。
【００４８】
なお、薄膜ホログラムメモリ５０は、印画紙４０に対するプリント処理の後に実装することもできるし、保護フィルム等でコーティングした状態で予め印画紙４０に実装することもできる。前者の場合には、薄膜ホログラムメモリ５０にデータを書き込んだ後に印画紙４０に実装するようにしてもよい。本実施の形態では、不図示の固着装置によって、印画紙４０に被写体画像をプリントした後に、データ書き込み済の薄膜ホログラムメモリ５０を固着させる場合を例に挙げる。
【００４９】
また、本実施の形態では、リーダとライタを一体形成したＲ／Ｗ装置２８を例に挙げるが、リーダとライタをそれぞれ独立に設けて、書き込み時にはライタを用い、読み出し時にはリーダを用いるようにしてもよい。また、ここでは、視覚的に画像を再現するホログラフィ技術により関連画像を書き込む機能と、薄膜ホログラム技術により被写体画像の画像データ等を書き込む機能の双方の機能を実現するＲ／Ｗ装置２８を例に挙げて説明するが、それぞれの機能が互いに独立な装置によって実現されるように構成してもよい。
【００５０】
操作端末３０は、被写体画像を撮影した場所を入力したり、プリント枚数やプリント時の濃度及びカラーバランスなどを指定したプリント条件を入力したりすることができる。
【００５１】
プリンタ２４は、画像データ取得装置２６で取得した画像データまたはネットワーク１８を介して取得した画像データに基づいて、印画紙４０に被写体画像をプリントする。
【００５２】
なお、ラボサーバ２０は、上記装置の制御だけでなく、ネットワーク１８を介して撮影場所情報検索サービスセンタ１６と情報を授受を行ったり、画像データ取得装置２６によって取得した画像データから低解像度の画像データ（サムネイル画像）を生成したりする。また、ラボサーバ２０は、写真が不正に再プリントされることを防ぐために、パスワードによる認証等によって本人照会を行う。
【００５３】
撮影場所情報検索サービスセンタ１６の撮影場所情報検索サーバ１７は、ラボ１２からネットワーク１８を介して受信した撮影場所情報検索要求に対し、撮影場所情報検索要求で指定された場所に関する情報、例えばその場所の地図、その場所近傍の名所の画像等を検索してそのデータをラボ１２に送信する。検索情報は撮影場所情報検索サーバ１７内のデータベースから検索するようにしてもよいし、ネットワーク１８で接続された他のサーバから検索してもよい。
【００５４】
次に、本実施の形態のプリントシステム１０の処理フローを説明する。
【００５５】
図２は、撮像装置によって撮影された被写体画像をラボ１２で最初にプリントする初回プリントの際の処理フローを示した図である。
【００５６】
まず、顧客は、ステップ１００でデジタルカメラや銀塩カメラによって被写体を撮影し、撮影した被写体画像が記録された記録メディアあるいはフィルムを、最寄りのラボ１２に持ち込む。
【００５７】
ラボ１２のラボサーバ２０は、ステップ１０２で持ち込まれたフィルムあるいは画像データを記録した記録メディアから画像データ取得装置２６によって画像データを取得する。
【００５８】
顧客は、ステップ１０４で、操作端末３０からパスワードを入力する。このパスワードは後日再プリントする際の認証に用いられる。
【００５９】
更に、ステップ１０６で、顧客は操作端末３０からプリント情報を入力する。ここでは、持ち込んだ画像データのプリント枚数や、プリント時の濃度及びカラーバランスなどのプリント条件の指定をプリント情報として入力する。また、被写体画像を撮影した場所に関する情報をプリントするか否かの指定、薄膜ホログラムメモリ５０に視覚的に再現する画像（関連画像）の指定もここで行う。
【００６０】
ステップ１０８では、顧客は更に操作端末３０から撮影場所情報を入力する。撮影場所情報は、被写体を撮影した場所を示す情報であって、例えば、操作端末３０の表示装置に表示された地名を示す選択項目の中から該当する項目を選択する等して入力することができる。
【００６１】
顧客がこれら情報を入力すると、ラボサーバ２０は、まずステップ１１０で、撮影場所情報検索サービスセンタ１６に対して、上記入力された撮影場所情報が示す場所に関する情報の検索要求を送信する。
【００６２】
撮影場所情報検索サービスセンタ１６の撮影場所情報検索サーバ１７は、ラボサーバ２０から検索要求を受信すると、ステップ１１２で、撮影場所情報が示す場所に関する情報（その場所の地図の画像データや、その場所近傍の名所の画像データなど）を検索する。
【００６３】
ラボサーバ２０は、ステップ１１４で撮影場所情報検索サービスセンタ１６から送信された検索結果を受信した後、Ｒ／Ｗ装置２８によって、顧客が上記入力したパスワード、画像データ取得装置２６で取得した画像データ、及び撮影場所情報検索サーバ１７の検索結果や顧客が指定したプリント条件等の被写体画像に関連のある関連情報を薄膜ホログラムメモリ５０に書き込む。このとき、パスワードや被写体画像の画像データ等は暗号化して書き込み、ラボサーバ２０以外では復号できないようにしておくことが好ましい。また、上記ステップで顧客により薄膜ホログラムメモリ５０の空き領域部分に再現される関連画像が指定された場合には、該関連画像も視覚的に再現されるように該空き領域部分に書き込む。
【００６４】
そして、ステップ１１８で、プリンタ２４で顧客の指定に応じたプリントを行う。具体的には、プリンタ２４では、図３（Ａ）に示すように、画像データ取得装置２６で取得した画像データに基づいて、各被写体画像４２を顧客が指定したプリント枚数だけ印画紙４０にプリントする。プリント後、図３（Ｂ）に示すように、上記データが書き込まれた薄膜ホログラムメモリ５０をその裏面に固着させる。
【００６５】
また、上記操作端末３０で、被写体画像を撮影した場所に関する情報のプリントが指定された場合には、撮影場所情報検索サーバ１７の検索結果に基づいて、図５（Ｂ）に示すようにその場所に関する名所の写真８２ａや地図８２ｂ、地名８２ｃ等をシート８２にプリントする。プリント結果は顧客に渡される。
【００６６】
図４は、プリントされた被写体画像を再度プリントする再プリントの際の処理フローを示した図である。
【００６７】
まず、顧客は、所望の被写体画像がプリントされた印画紙４０をラボ１２に持ち込む。再プリント時に持ち込まれる印画紙４０は、被写体画像がプリントされた印画紙４０であって、裏面に薄膜ホログラムメモリ５０が固着されているものである。
【００６８】
ラボサーバ２０は、ステップ２００で、印画紙４０の薄膜ホログラムメモリ５０からＲ／Ｗ装置２８によってデータを読取り、読み取り結果からステップ２０２でパスワード、画像データ、および撮影場所に関する情報やプリント条件等の関連情報を取得する。暗号化されている場合は、暗号化されているデータをここで復号する。
【００６９】
続いて、顧客は、パスワードの入力を要求される。ステップ２０４で、顧客は操作端末３０からパスワードを入力する。
【００７０】
ラボサーバ２０は、ステップ２０６で、入力されたパスワードと薄膜ホログラムメモリ５０から取得したパスワードとを比較し、一致すれば認証し、プリント処理を続行する。なお、ここでパスワードが不一致であった場合には、これ以降の処理は行われない。すなわち、再プリントは行われない。
【００７１】
認証後、顧客は、ステップ２０８でプリント情報を入力する。ここで、プリント情報として、各被写体画像のプリント枚数を指定できる他、撮影場所に関する情報をプリントするか否かの指定もここで行うことができる。
【００７２】
ステップ２１０では、プリンタ２４で、図５（Ａ）に示すように、上記読み出した画像データ及びプリント条件に基づいて印画紙４０に被写体画像４２をプリントすると共に、上記ステップで撮影場所に関する情報のプリントが指示された場合には、図５（Ｂ）に示すように、上記読み出した関連情報に含まれる撮影場所に関する情報に基づいてその場所に関する名所の写真８２ａや地図８２ｂ、地名８２ｃ等をシート８２にプリントする。なお、再プリントでは、プリントした印画紙４０に薄膜ホログラムメモリ５０を実装してもよいし、実装しなくてもよい。また実装するか否かを顧客が指定できるようにしてもよい。プリント結果は顧客に渡される。
【００７３】
以上説明したように、印画紙４０に被写体画像の画像データを書き込んだ薄膜ホログラムメモリ５０を実装するようにしたため、顧客は、画像データやフィルムが無くても、被写体画像がプリントされた印画紙さえあれば、被写体画像を気軽に再プリントすることができる。また、被写体画像に関連する関連情報、例えば撮影場所の名所の画像や地図の画像等の画像データも大容量の記録が可能な薄膜ホログラムメモリ５０に書き込んでおくことができ、これにより、撮影場所の地図や撮影場所の名所の写真なども容易にプリントできる。
【００７４】
また、被写体画像に関連する関連画像も、薄膜ホログラムメモリ５０の空き領域部分に視覚的に再現可能に書き込むことによって、より付加価値の高いプリントができる。また、薄膜ホログラムメモリ５０にプリント条件等を書き込んでおけば、再プリントの際に、初回プリントと同様に被写体画像を再現することができる。また、パスワードを設定しておくことによって、不正な再プリントも防止できる。
【００７５】
なお、上記では薄膜ホログラムメモリ５０に書き込む関連情報として、被写体画像を撮影した撮影場所に関連する画像データや、プリント条件等を例に挙げて説明したが、これに限定されず、例えば、被写体画像を撮影したときに流行していた音楽のサウンドデータであってもよいし、撮影場所に関連する音楽のサウンドデータであってもよい。このように、大容量の薄膜ホログラムメモリ５０を印画紙に設けることによって、被写体画像に関連する様々な情報や画像データ、サウンドデータを書き込んで、必要に応じて読み出すことができる。
【００７６】
また、上記関連情報は、印画紙４０を被写体画像の再プリント時だけでなく、任意のタイミングでラボ１２に持ち込み関連情報だけをプリントすることも可能である。
【００７７】
また、上記実施の形態では、画像データや撮影場所情報等を薄膜ホログラムメモリ５０に記録した後、該記録された領域以外の空き領域部分に、顧客の指定に応じて、被写体画像に関連する関連画像が視覚的に再現されるように書き込まれる例について説明したが、書き込む画像は関連画像に限定されず、例えば、広告画像であってもよいし、ラボ１２の宣伝メッセージ等であってもよい。
【００７８】
なお、上記実施の形態では、印画紙４０の１枚１枚に、被写体画像をプリントし、この被写体画像の画像データを薄膜ホログラムメモリ５０に書き込む例について説明したが、インデックスとして、上記画像データ取得装置２６で取得した複数の画像データから、サイズの小さいサムネイル画像を作成し、図６に示すように、該サイズの小さい複数の被写体画像（サムネイル画像）４３を初回プリント時にインデックスシートでプリントすると共に、その裏面に設けられた薄膜ホログラムメモリ５０に全画像の画像データを書き込むようにしてもよい。これにより、該インデックスシートに従来のネガフィルムと同様の役割を持たせることができ、再プリントが容易になる。
【図面の簡単な説明】
【００７９】
【図１】本発明の実施の形態に係るプリントシステムの構成図である。
【図２】撮像装置によって撮影された被写体画像をラボで最初にプリントする初回プリントの際の、顧客、ラボサーバ及び撮影場所情報検索サーバの処理フローを示す図である。
【図３】（Ａ）は、初回プリントにおけるプリント結果の一例であり、（Ｂ）は印画紙裏面に薄膜ホログラムメモリを設けた状態を示した図である。
【図４】プリントされた被写体画像を再度プリントする再プリントの際の、顧客およびラボサーバの処理フローを示す図である。
【図５】（Ａ）は、再プリントにおけるプリント結果の一例であり、（Ｂ）は、被写体画像を撮影した撮影場所に関する情報がプリントされたシートの一例である。
【図６】インデックスシートとしてプリントされた印画紙と、該印画紙の裏面に設けられた薄膜ホログラムメモリを示した図である。
【符号の説明】
【００８０】
１０  プリントシステム
１２  ラボ
１７  撮影場所情報検索サーバ
１８  ネットワーク
２０  ラボサーバ
２４  プリンタ
２６  画像データ取得装置
２８  Ｒ／Ｗ装置
３０  操作端末
４０  印画紙
４２  被写体画像
５０  薄膜ホログラムメモリ
８２  シート
【図１】
2007094105.tif 000003
【図２】
2007094105.tif 000004
【図３】
2007094105.tif 000005
【図４】
2007094105.tif 000006
【図５】
2007094105.tif 000007
【図６】
2007094105.tif 000008